(57)【要約】【課題】包装袋に収納されている縮長状態の多段式ストローが包装袋を突き破って外に飛び出してしまうことや、包装袋から取り出した縮長状態の多段式ストローの先端で意図せず身体を傷つけてしまうことを防止するのに有用な多段式ストローを提供する。【解決手段】多段式ストロー２３０は、縮長状態から伸長状態に変化できるように径が異なる２本のパイプ（最外側パイプ２３１および最内側パイプ２３２）を多重に組み合わせて構成されており、前記最内側パイプ２３２の全長Ｌ２は最外側パイプの全長Ｌ１以下である。【選択図】図４
2020162847.tif 000002
【特許請求の範囲】
【請求項１】
縮長状態から伸長状態に変化できるように径が異なる２本以上のパイプを多重に組み合わせて構成され、最内側パイプの先端部分に先鋭な突き刺し部が設けられた多段式ストローであって、
前記最内側パイプの全長は最外側パイプの全長以下である、
多段式ストロー。
【請求項２】
前記最内側パイプの全長は、前記最外側パイプによって前記最内側パイプ全体を覆い隠せる長さであり、前記最内側パイプの外径は、前記最外側パイプの内径よりも小さく、縮長状態の前記多段式ストローを鉛直方向下方に向けた際に、前記最内側パイプの自重で当該最内側パイプの先端部分が前記最外側パイプから突出するように構成されている、
請求項１に記載の多段式ストロー。
【請求項３】
前記２本以上のパイプは、前記最外側パイプと前記最内側パイプの２本であり、前記最内側パイプの外径と前記最外側パイプの内径との差が０．５ｍｍ〜２ｍｍである、
請求項１または２に記載の多段式ストロー。
【請求項４】
前記縮長状態から前記伸長状態に変化させたときに前記最外側パイプと前記最内側パイプとを前記伸長状態で保持する保持手段を有する、
請求項３に記載の多段式ストロー。
【請求項５】
前記２本以上のパイプは、前記最外側パイプと前記最内側パイプと両者の間に介在する中間パイプの３本である、
請求項１または２に記載の多段式ストロー。
【請求項６】
前記中間パイプの全長は前記最外側パイプの全長以下である、
請求項５に記載の多段式ストロー。
【請求項７】
前記縮長状態から前記伸長状態に変化させたときに前記最外側パイプと前記中間パイプとを前記伸長状態で保持する第１の保持手段、ならびに、前記中間パイプと前記最内側パイプとを前記伸長状態で保持する第２の保持手段を有する、
請求項５または６に記載の多段式ストロー。
【請求項８】
前記最外側パイプの先端部分に前記突き刺し部よりも非先鋭の開封補助部が設けられている、
請求項１〜７の何れか１項に記載の多段式ストロー。
【請求項９】
請求項１〜８の何れか１項に記載の多段式ストローが、前記縮長状態で包装袋に収納されている、
ストロー包装体
【請求項１０】
前記包装袋は、ベースフィルムと、前記縮長状態の前記多段式ストロー全体を覆い、かつ、外周部を前記ベースフィルムに止着されたカバーフィルムとから成る、
請求項９に記載のストロー包装体。
【請求項１１】
請求項９または１０に記載のストロー包装体が、飲料が充填された容器の外面に付設されている、
容器入り飲料。
【発明の詳細な説明】
【技術分野】
【０００１】
本発明は、縮長状態から伸長状態への変化を可能とした多段式ストローと、当該多段式ストローが縮長状態で包装袋に収納されたストロー包装体と、当該ストロー包装体が付設された容器入り飲料に関する。
【背景技術】
【０００２】
図１は従前の容器入り飲料１００の例を示す。図１（Ａ）に例示した容器入り飲料１００は飲料が充填された直方体状の容器１１０の外面の最も広い面１１１にストロー包装体１２０が斜め向きに付設されており、図１（Ｂ）に例示した容器入り飲料１００は同容器１１０の外面の２番目に広い面１１２にストロー包装体１２０が縦向きに付設されている（例えば特許文献１を参照）。
【０００３】
ストロー包装体１２０は、図２（Ａ）に示したように、縮長状態の多段式ストロー１３０とこれを収納した包装袋１４０とから構成されており、包装袋１４０の外面の一部が接着剤を用いて容器１１０の外面（１１１、１１２）に取り外し可能に付設されている。
【０００４】
多段式ストロー１３０は、図２（Ａ）に示した縮長状態から図２（Ｂ）に示した伸長状態に変化できるように径が異なる２本のパイプ（最外側パイプ１３１と最内側パイプ１３２）を多重に組み合わせて構成されている。
【０００５】
最外側パイプ１３１は、図２（Ａ）に示したように、円錐台筒状部分と円筒状部分とが連続した縮径部１３１ａを先端部分に有し、パイプ内側に張り出した凸部から成る係止部１３１ｂを縮径部１３１ａと間隔をおいて有しており、最外側パイプ１３１の全長はＬ１である。
【０００６】
最内側パイプ１３２は、図２（Ａ）に示したように、先鋭な突き刺し部１３２ａを先端部分に有し、円錐台筒状部分と円筒状部分とが連続した拡径部１３２ｂを末端部分に有しており、最内側パイプ１３２の全長Ｌ２は最外側パイプ１３１の全長Ｌ１よりも長い。
【０００７】
図２（Ａ）から分かるように、最内側パイプ１３２の全長Ｌ２が最外側パイプ１３１の全長Ｌ１よりも長いため、包装袋１４０に収納されている縮長状態の多段式ストロー１３０は最外側パイプ１３１の先端から最内側パイプ１３２の先鋭な突き刺し部１３２ａが突出している。
【０００８】
包装袋１４０は、図２（Ａ）に示したように、ベースフィルム１４１と、縮長状態の多段式ストロー１３０全体を覆い、かつ、外周部をベースフィルム１４１に止着されたカバーフィルム１４２とから成る。ベースフィルム１４１とカバーフィルム１４２は透明または半透明であり、多段式ストロー１３０の取り出しを容易に行えるようにするために両フィルム１４１および１４２の厚さはかなり薄い。
【０００９】
図１（Ａ）および図１（Ｂ）に示した容器入り飲料１００において容器１１０に充填されている飲料を多段式ストロー１３０を用いて飲むときには、まず、容器１１０からストロー包装体１２０を取り外してから包装袋１４０を指先で破く方法等によって縮長状態の多段式ストロー１３０を包装袋１４０から取り出す。
【００１０】
そして、取り出した縮長状態の多段式ストロー１３０の最外側パイプ１３１と最内側パイプ１３２の突出部分とを指先で把持し、図２（Ｂ）に示したように、最外側パイプ１３１と最内側パイプ１３２を矢印方向に伸ばして、最内側パイプ１３２の拡径部１３２ｂを最外側パイプ１３１の縮径部１３１ａに当接させ、かつ、拡径部１３２ｂの末端を係止部１３１ｂに係止させる。これにより、最外側パイプ１３１と最内側パイプ１３２とが伸長状態で保持され、縮長状態から伸長状態に変化した全長Ｌの多段式ストロー１３０となる（例えば特許文献２を参照）。
【００１１】
そして、伸長状態の多段式ストロー１３０の突き刺し部１３２ａを容器１１０の差し込み口１１３に差し込んで、伸長状態の多段式ストロー１３０の末端部分（飲み口となる部分）を除く部分を容器１１０の内側に挿入する。これにより、容器１１０に充填されている飲料を伸長状態の多段式ストロー１３０を用いて飲むことができる。
【００１２】
ところで、図２（Ａ）に示したように、包装袋１４０に収納されている縮長状態の多段式ストロー１３０は最外側パイプ１３１の先端から最内側パイプ１３２の先鋭な突き刺し部１３２ａが突出しているため、容器入り飲料１００の流通時や陳列時等において図２（Ｃ）に示したような外圧ＥＰがストロー包装体１２０の包装袋１４０に加わると、縮長状態の多段式ストロー１３０が下方に移動して包装袋１４０を突き破って飛び出してしまうことがある。このような飛び出しを生じた容器入り飲料１００は購買者側から見れば非衛生的であるため、購買意欲の低下を招来し得る。また、包装袋１４０に収納されている縮長状態の多段式ストロー１３０は最外側パイプ１３１の先端から最内側パイプ１３２の先鋭な突き刺し部１３２ａが突出しているため、包装袋１４０から取り出した縮長状態の多段式ストロー１３０の先端で意図せず身体を傷つけるおそれがあり、危険である。
【先行技術文献】
【特許文献】
【００１３】
【特許文献１】特開２０１６−０５４８７６号公報
【特許文献２】特開２０１３−１８８３１９号公報
【発明の概要】
【発明が解決しようとする課題】
【００１４】
本発明が解決しようとする課題は、包装袋に収納されている縮長状態の多段式ストローが包装袋を突き破って外に飛び出してしまうことや、包装袋から取り出した縮長状態の多段式ストローの先端で意図せず身体を傷つけてしまうことを防止するのに有用な多段式ストロー、ストロー包装体、および容器入り飲料を提供することにある。
【課題を解決するための手段】
【００１５】
前記課題を解決するため、本発明に係る多段式ストローは、縮長状態から伸長状態に変化できるように径が異なる２本以上のパイプを多重に組み合わせて構成され、最内側パイプの先端部分に先鋭な突き刺し部が設けられた多段式ストローであって、前記最内側パイプの全長は最外側パイプの全長以下である。また、本発明に係るストロー包装体は、前掲の多段式ストローが、縮長状態で包装袋に収納されている。さらに、本発明に係る容器入り飲料は、前掲のストロー包装体が、飲料が充填された容器の外面に付設されている。
【発明の効果】
【００１６】
本発明に係る多段式ストロー、ストロー包装体、および容器入り飲料は、包装袋に収納されている縮長状態の多段式ストローが包装袋を突き破って外に飛び出してしまうことを極力防止するのに有用である。また、包装袋から取り出した縮長状態の多段式ストローの先端で意図せず身体を傷つけてしまうことを防止するのに有用である。
【図面の簡単な説明】
【００１７】
【図１】図１（Ａ）および図１（Ｂ）は従前の容器入り飲料の例を示す外観斜視図である。
【図２】図２（Ａ）は図１（Ａ）および図１（Ｂ）に示したストロー包装体の断面図、図２（Ｂ）は伸長状態の多段式ストローの断面図、図２（Ｃ）は従前の容器入り飲料で生じ得る不具合の説明図である。
【図３】図３（Ａ）および図３（Ｂ）は本発明の第１実施形態に係る容器入り飲料の例を示す外観斜視図である。
【図４】図４（Ａ）は図３（Ａ）および図３（Ｂ）に示したストロー包装体の断面図、図４（Ｂ）は図４（Ａ）に示した多段式ストローを構成する最外側パイプと最内側パイプの断面図である。
【図５】図５（Ａ）は図４（Ａ）に示した包装袋から縮長状態の多段式ストローを取り出す方法の説明図、図５（Ｂ）は伸長状態の多段式ストローの断面図、図５（Ｃ）は図４（Ａ）に示した包装袋に外圧が加わったときの様子を示す図である。
【図６】図６（Ａ）〜図６（Ｃ）は図４（Ａ）および図５（Ｂ）に示した多段式ストローの変形例をそれぞれ示す図４（Ｂ）対応図である。
【図７】図７（Ａ）は本発明の第２実施形態に係るストロー包装体の断面図、図７（Ｂ）は図７（Ａ）に示した多段式ストローを構成する最外側パイプと最内側パイプと中間パイプの断面図である。
【図８】図８（Ａ）は伸長状態の多段式ストローの断面図、図８（Ｂ）は図７（Ａ）に示した包装袋に外圧が加わったときの様子を示す図である。
【発明を実施するための形態】
【００１８】
《第１実施形態》
図３（Ａ）および図３（Ｂ）は本発明の第１実施形態に係る容器入り飲料２００の例を示す。図３（Ａ）に例示した容器入り飲料２００は飲料が充填された直方体状の容器２１０の外面の最も広い面２１１にストロー包装体２２０が斜め向きに付設されており、図３（Ｂ）に例示した容器入り飲料２００は同容器２１０の外面の２番目に広い面２１２にストロー包装体２２０が縦向きに付設されている。
【００１９】
ストロー包装体２２０は、図４（Ａ）に示したように、縮長状態の多段式ストロー２３０とこれを収納した包装袋２４０とから構成されており、包装袋２４０の外面の一部が容器２１０の外面（２１１、２１２）に接着剤を用いて取り外し可能に付設されている。
【００２０】
多段式ストロー２３０は、図４（Ａ）に示した縮長状態から図５（Ｂ）に示した伸長状態に変化できるように径が異なる２本のパイプ（最外側パイプ２３１と最内側パイプ２３２）を多重に組み合わせて構成されている。
【００２１】
最外側パイプ２３１は、図４（Ｂ）に示したように、円錐台筒状部分と円筒状部分とが連続した縮径部２３１ａを先端部分に有し、縮径部２３１ａの円筒状部分の先端に後述の突き刺し部２３２ａよりも非先鋭の開封補助部２３１ｂを有しており、最外側パイプ２３１の全長はＬ１である。
【００２２】
最内側パイプ２３２は、図４（Ｂ）に示したように、先鋭な突き刺し部２３２ａを先端部分に有し、円錐台筒状部分と円筒状部分とが連続した第１拡径部２３２ｂを末端部分に有し、円錐台筒状部分と円筒状部分とが連続した第２拡径部２３２ｃを第１拡径部２３２ｂと連なって有しており、最内側パイプ２３２の全長Ｌ２は、最外側パイプ２３１の全長Ｌ１以下、好ましくは最外側パイプ２３１によって最内側パイプ２３２全体を覆い隠せる長さである。
【００２３】
より詳しく説明すると、多段式ストロー２３０の最外側パイプ２３１と最内側パイプ２３２はポリプロピレン等の合成樹脂を材料として作製されたものであって、最外側パイプ２３１の縮径部２３１ａはパイプ材にドローイング加工を施す方法等によって形成され、開封補助部２３１ｂはパイプ材を斜めに切断する方法等によって形成されており、最内側パイプ２３２の突き刺し部２３２ａはパイプ材を斜めに切断する方法等によって形成され、第１拡径部２３２ｂと第２拡径部２３２ｃはパイプ材にスリーブ加工を施す方法等によって形成されている。
【００２４】
最外側パイプ２３１の開封補助部２３１ｂの端縁が最外側パイプ２３１の中心線と成す角度αは、突き刺し部２３２ａの端縁が最内側パイプ２３２の中心線と成す角度βよりも大きい。ちなみに、前記角度αの範囲としては５０度〜８０度を例示することができ、より好ましくは５５度〜７０度である。また、前記角度βの範囲としては３０度〜６０度を例示することができ、より好ましくは３５度〜５５度である。
【００２５】
最外側パイプ２３１の縮径部２３１ａと開封補助部２３１ｂとを除く部分の外径はＯＤ１ａ、内径はＩＤ１ａであり、縮径部２３１ａの円筒状部分と開封補助部２３１ｂの外径ＯＤ１ｂと内径ＩＤ１ｂのそれぞれは、前記外径ＯＤ１ａと前記内径ＩＤ１ａのそれぞれよりも小さい。
【００２６】
最内側パイプ２３２の第１拡径部２３２ｂと第２拡径部２３２ｃとを除く部分の外径はＯＤ２ａ、内径はＩＤ２ａであり、外径ＯＤ２ａは、最外側パイプ２３１の縮径部２３１ａの円筒状部分と開封補助部２３１ｂの内径ＩＤ１ｂよりも小さく、外径ＯＤ２ａは、内径ＩＤ１ｂよりも０．５ｍｍ〜２ｍｍ小さいことが好ましく、１ｍｍ〜２ｍｍ小さいことがより好ましい。すなわち、最内側パイプ２３２と最外側パイプ２３１は、充分なクリアランス（隙間）を有しており、最内側パイプ２３２は外部から力を加えなくとも、最外側パイプ２３１の開封補助部２３１ｂを鉛直方向下方に向けることにより、最内側パイプ２３２の自重で、最内側パイプ２３２の突き刺し部２３２ａを最外側パイプ２３１の先端から突出させることができることが好ましい。また、第１拡径部２３２ｂの円筒状部分の外径ＯＤ２ｂと内径ＩＤ２ｂのそれぞれは、前記外径ＯＤ２ａと前記内径ＩＤ２ａのそれぞれよりも大きく、外径ＯＤ２ｂは、最外側パイプ２３１の内径ＩＤ１ａよりも小さく、かつ、内径ＩＤ１ｂよりも大きい。さらに、第２拡径部２３２ｃの円筒状部分の外径ＯＤ２ｃと内径ＩＤ２ｃのそれぞれは、前記外径ＯＤ２ａと前記内径ＩＤ２ａのそれぞれよりも大きく、かつ、前記外径ＯＤ２ｂと前記内径ＩＤ２ｂのそれぞれよりも小さく、外径ＯＤ２ｃは、最外側パイプ２３１の内径ＩＤ１ａよりも小さく、かつ、縮径部２３１ａの円筒状部分と開封補助部２３１ｂの内径ＩＤ１ｂと同じかそれよりも僅かに大きい。
【００２７】
参考までに試作品における最外側パイプ２３１の各基準寸法等（公差を含まない）を例示すると、外径ＯＤ１ａは６．０ｍｍ、内径ＩＤ１ａは５．６ｍｍ、外径ＯＤ１ｂは４．７ｍｍ、内径ＩＤ１ｂは４．３ｍｍであり、開封補助部２３１ｂの角度αは６０度であり、最外側パイプ２３１の全長Ｌ１は８３．０ｍｍである。
【００２８】
また、同試作品における最内側パイプ２３２の各基準寸法等（公差を含まない）を例示すると、外径ＯＤ２ａは３．８ｍｍ、内径ＩＤ２ａは３．２ｍｍ、外径ＯＤ２ｂは４．６ｍｍ、内径ＩＤ２ｂは４．０ｍｍ、外径ＯＤ２ｃは４．３ｍｍ、内径ＩＤ２ｂは３．７ｍｍであり、突き刺し部２３２ａの角度βは４０度であり、最内側パイプ２３２の全長Ｌ２は７８．０ｍｍである。
【００２９】
図４（Ａ）から分かるように、最内側パイプ２３２の全長Ｌ２が最外側パイプ２３１の全長Ｌ１以下、好ましくは最外側パイプ２３１によって最内側パイプ２３２全体を覆い隠せる長さであるため、包装袋２４０に収納されている縮長状態の多段式ストロー２３０は最外側パイプ２３１の先端から最内側パイプ２３２の突き刺し部２３２ａが突出していない。
【００３０】
包装袋２４０は、図４（Ａ）に示したように、ベースフィルム２４１と、縮長状態の多段式ストロー２３０全体を覆い、かつ、外周部をベースフィルム２４１に止着されたカバーフィルム２４２とから成る。ベースフィルム２４１とカバーフィルム２４２は透明または半透明であり、多段式ストロー２３０の取り出しを容易に行えるようにするために両フィルム２４１および２４２の厚さはかなり薄い。
【００３１】
より詳しく説明すると、包装袋２４０のベースフィルム２４１とカバーフィルム２４２はポリプロピレン等の合成樹脂フィルムから成り、カバーフィルム２４２の外周部は熱圧着によってベースフィルム２４１に止着されている。ちなみに、前記フィルム２４１および２４２の厚さの範囲としては２０μｍ〜５５μｍを例示することができる。
【００３２】
また、包装袋２４０は、ベースフィルム２４１の一面（カバーフィルム２４２が在る方の面とは反対の面）を接着剤、例えばＥＶＡ（エチレン・酢酸ビニル共重合体）系接着剤やエラストマー（合成ゴム）系接着剤等を用いて容器２１０の外面に取り外し可能に付設されている。
【００３３】
ストロー包装体２２０の作製方法を例示すると、まず、ベースフィルム２４１用のフィルム材とカバーフィルム２４２用のフィルム材を用意する。そして、熱圧着兼用の下型と上型を用い、下型にベースフィルム２４１用のフィルム材を置き、その上に縮長状態の多段式ストロー２３０を間隔をおいて平行に配置するとともに、上型によってカバーフィルム２４２用のフィルム材の成形と熱圧着を行う。そして、熱圧着後のものを多段式ストロー２３０の１本単位で所定サイズに切断する。これにより、縮長状態の多段式ストロー２３０とこれを収納した包装袋２４０とから構成されたストロー包装体２２０が作製される。
【００３４】
容器２１０に充填されている飲料を多段式ストロー２３０を用いて飲むときには、まず、容器２１０からストロー包装体２２０を取り外してから包装袋２４０を指先で破く方法等によって縮長状態の多段式ストロー２３０を取り出す。
【００３５】
この取り出しには、多段式ストロー２３０の最外側パイプ２３１の先端に設けられている開封補助部２３１ｂを利用することもできる。すなわち、図５（Ａ）に示したように、指先を包装袋２４０に押し当てながら縮長状態の多段式ストロー２３０を押し下げ、開封補助部２３１ｂにより包装袋２４０の開封を行いつつ最外側パイプ２３１の先端部分を包装袋２４０から押し出し、押し出された先端部分を把持して抜き出すことによって、容器２１０から縮長状態の多段式ストロー２３０を取り出すことができる。
【００３６】
そして、取り出した縮長状態の多段式ストロー２３０を最外側パイプ２３１の開封補助部２３１ｂが下を向く姿勢とするか、あるいは、同姿勢で縮長状態の多段式ストロー２３０を振ることにより、最内側パイプ２３２の少なくとも突き刺し部２３２ａを最外側パイプ２３１の先端から突出させる。ちなみに、最外側パイプ２３１の開封補助部２３１ｂが下を向く姿勢とすることにより、最内側パイプ２３２の自重により、その突き刺し部２３２ａを最外側パイプ２３１の先端から突出できることが好ましい。先に述べたように、最内側パイプ２３２の第１拡径部２３２ｂと第２拡径部２３２ｃとを除く部分の外径ＯＤ２ａが、最外側パイプ２３１の縮径部２３１ａの円筒状部分と開封補助部２３１ｂの内径ＩＤ１ｂよりも小さいため、前記の突出作業は容易に行うことができる。
【００３７】
そして、最外側パイプ２３１と最内側パイプ２３２の突出部分とを指先で把持し、図５（Ｂ）に示したように、最外側パイプ２３１と最内側パイプ２３２を矢印方向に伸ばして、最内側パイプ２３２の第１拡径部２３２ｂを最外側パイプ２３１の縮径部２３１ａに当接させ、かつ、第２拡径部２３２ｃを最外側パイプ２３１の縮径部２３１ａの円筒状部分に圧入する。これにより、最外側パイプ２３１と最内側パイプ２３２とが伸長状態で保持され、縮長状態から伸長状態に変化した全長Ｌの多段式ストロー２３０となる。
【００３８】
そして、伸長状態の多段式ストロー２３０の突き刺し部２３２ａを容器２１０の差し込み口２１３に差し込んで、伸長状態の多段式ストロー２３０の末端部分（飲み口となる部分）を除く部分を容器２１０の内側に挿入する。これにより、容器２１０に充填されている飲料を伸長状態の多段式ストロー２３０を用いて飲むことができる。
【００３９】
容器２１０について補足すると、容器２１０は耐水性紙材、例えば厚紙にポリエチレン等の合成樹脂フィルムをラミネートしたものや、厚紙にアルミニウム等の金属箔をラミネートしたものや、厚紙に前記合成樹脂フィルムと前記金属箔の両方をラミネートしたものを、適宜折り曲げて作製されている。容器２１０の上面に設けられた差し込み口２１３は厚紙のみに円状孔を形成した部分であるため、差し込み口２１３にはラミネート層が存在する。すなわち、伸長状態の多段式ストロー２３０の突き刺し部２３２ａを差し込み口２１３に差し込むと、突き刺し部２３２ａによって差し込み口２１３のラミネート層が突き破られて、伸長状態の多段式ストロー２３０の飲み口部分を除く部分が容器２１０の内側に挿入される。
【００４０】
以上述べたとおり、容器入り飲料２００、ストロー包装体２２０、および多段式ストロー２３０によれば、図４（Ａ）に示したように、包装袋２４０に収納されている縮長状態の多段式ストロー２３０は最外側パイプ２３１の先端から最内側パイプ２３２の先鋭な突き刺し部２３２ａが突出していないため、容器入り飲料２００の流通時や陳列時等において図５（Ｃ）に示したような外圧ＥＰがストロー包装体２２０の包装袋２４０に加わっても、縮長状態の多段式ストロー２３０が下方に移動して包装袋２４０を突き破って飛び出すことを極力防止できる。すなわち、従前のような飛び出しを極力防止して、飛び出しによる購買意欲の低下を極力回避することができる。また、包装袋２４０から取り出した縮長状態の多段式ストロー２３０の先端で意図せず身体を傷つけてしまうことを極力防止できる。
【００４１】
また、多段式ストロー２３０は最外側パイプ２３１の先端部分に非先鋭の開封補助部２３１ｂを有しているため、最内側パイプ２３２の全長Ｌ２を最外側パイプ２３１の全長Ｌ１と同じにすると、縮長状態の多段式ストロー２３０において開封補助部２３１ｂの先端の周方向向きと突き刺し部２３２ａの先端の周方向向きが一致していない場合、例えば図４（Ａ）に示した縮長状態の多段式ストロー２３０ように開封補助部２３１ｂの先端の周方向向きと突き刺し部２３２ａの先端の周方向向きが１８０度異なる場合に、開封補助部２３１ｂにおいて先鋭な突き刺し部２３２ａが露出することがあり得る。
【００４２】
しかしながら、前掲の場合において図５（Ｃ）に示したような外圧ＥＰによって縮長状態の多段式ストロー２３０が包装袋２４０内で下方に移動しても、突き刺し部２３２ａの先端が単独で包装袋２４０の内面に接することはないため、縮長状態の多段式ストロー２３０が包装袋１４０を突き破って飛び出すことを極力防止できることになる。勿論、外圧ＥＰによって縮長状態の多段式ストロー２３０が包装袋２４０内で下方に移動したときに突き刺し部２３２ａの先端が包装袋２４０の内面に接することを嫌うのであれば、先に述べたように最内側パイプ２３２の全長Ｌ２を最外側パイプ２３１によって最内側パイプ２３２全体を覆い隠せる長さとしておけばよい。
【００４３】
さらに、多段式ストロー２３０は最外側パイプ２３１の先端部分に非先鋭の開封補助部２３１ｂを有しているため、図５（Ｃ）に示したような外圧ＥＰによって縮長状態の多段式ストロー２３０が包装袋２４０内で下方に移動すると開封補助部２３１ｂの先端は包装袋２４０の内面に接することになる。
【００４４】
しかしながら、開封補助部２３１ｂは先鋭な突き刺し部２３２ａよりも非先鋭であるため、外圧ＥＰによって縮長状態の多段式ストロー２３０が包装袋２４０内で下方に移動して開封補助部２３１ｂが包装袋２４０の内面に接しても、縮長状態の多段式ストロー２３０が包装袋２４０を突き破って飛び出すことを極力防止できることになる。勿論、外圧ＥＰによって縮長状態の多段式ストロー２３０が包装袋２４０内で下方に移動したときに開封補助部２３１ｂによって包装袋２４０を突き破られる懸念がある場合は、包装袋２４０のフィルム強度に応じて開封補助部２３１ｂの角度αを極力大きくすれば、このような懸念は払拭できる。
【００４５】
なお、前述の多段式ストロー２３０では、最外側パイプ２３１と最内側パイプ２３２とを伸長状態で保持する保持手段として、最外側パイプ２３１の縮径部２３１ａと最内側パイプ２３２の第２拡径部２３２ｃを例示したが、最外側パイプ２３１の縮径部２３１ａの円筒状部分に最内側パイプ２３２の第２拡径部２３２を圧入したときの保持力が充分に得られない場合には、図６（Ａ）に示したように、最外側パイプ２３１に縮径部２３１ａと間隔をおいてパイプ内側に張り出した凸部から成る係止部２３１ｃを設けてもよく、また、図６（Ｂ）に示したように、最外側パイプ２３１に縮径部２３１ａと間隔をおいてパイプ内側に張り出した凸部から成る係止部２３１ｃを設けるとともに、最内側パイプ２３２から第２拡径部２３２ｃを排除してもよい。
【００４６】
図６（Ａ）および図６（Ｂ）に示した係止部２３１ｃは、いずれも、両パイプ２３１および２３２を伸ばして最内側パイプ２３２の第１拡径部２３２ｂを最外側パイプ２３１の縮径部２３１ａに当接したときに当該第１拡径部２３２ｂの末端が係止するものであるため、この係止によって最外側パイプ２３１と最内側パイプ２３２とを伸長状態で保持でき、かつ、充分な保持力を得ることができる。
【００４７】
また、前述の多段式ストロー２３０では、最外側パイプ２３１の先端部分に非先鋭の開封補助部２３１ｂを設けたものを例示したが、図６（Ｃ）に示したように、最外側パイプ２３１から開封補助部２３１ｂを排除してもよい。ちなみに、この開封補助部２３１ｂの排除は、図６（Ａ）および図６（Ｂ）に示した最外側パイプ２３１にも適用できる。
【００４８】
最外側パイプ２３１から開封補助部２３１ｂを排除すると、図５（Ａ）を用いて説明した方法による縮長状態の多段式ストロー２３０の取り出しが行いにくくなるが、包装袋２４０から縮長状態の多段式ストロー２３０を取り出す方法は他にもあるため、包装袋２４０からの縮長状態の多段式ストロー２３０の取り出しに特段支障は生じない。
【００４９】
《第２実施形態》
図７（Ａ）は本発明の第２実施形態に係るストロー包装体２２０’を示す。このストロー包装体２２０’は、図７（Ａ）に示したように、縮長状態の多段式ストロー２３０’とこれを収納した包装袋２４０’とから構成されており、図３（Ａ）および図３（Ｂ）に示したストロー包装体２２０に変えて用いることができる。
【００５０】
多段式ストロー２３０’は、図７（Ａ）に示した縮長状態から図８（Ａ）に示した伸長状態に変化できるように径が異なる３本のパイプ（最外側パイプ２３１と最内側パイプ２３２と両者の間に介在する中間パイプ２３３）を多重に組み合わせて構成されている。
【００５１】
多段式ストロー２３０’の伸長状態の全長Ｌ（図８（Ａ）を参照）が、図５（Ｂ）に示した多段式ストロー２３０の伸長状態の全長Ｌと同じ場合、３本のパイプから構成された多段式ストロー２３０’の縮長状態の全長は２本のパイプから構成された多段式ストロー２３０の伸長状態の全長よりも短くなり、かつ、包装袋２４０’の全長も包装袋２４０の全長よりも短くなるため、ストロー包装体２２０’は図３（Ａ）および図３（Ｂ）に示した容器２１０の外面の最も狭い面に付設することも可能である。
【００５２】
最外側パイプ２３１は、図７（Ｂ）に示したように、円錐台筒状部分と円筒状部分とが連続した縮径部２３１ａを先端部分に有し、縮径部２３１ａの円筒状部分の先端に後述の突き刺し部２３２ａよりも非先鋭の開封補助部２３１ｂを有し、パイプ内側に張り出した凸部から成る係止部２３１ｃを縮径部２３１ａと間隔をおいて有しており、最外側パイプ２３１の全長はＬ１である。
【００５３】
最内側パイプ２３２は、図７（Ｂ）に示したように、先鋭な突き刺し部２３２ａを先端部分に有し、円錐台筒状部分と円筒状部分とが連続した拡径部２３２ｂを末端部分に有しており、最内側パイプ２３２の全長Ｌ２は、最外側パイプ２３１の全長Ｌ１以下、好ましくは最外側パイプ２３１によって最内側パイプ２３２全体を覆い隠せる長さである。
【００５４】
中間パイプ２３３は、図７（Ｂ）に示したように、円錐台筒状部分と円筒状部分とが連続した縮径部２３３ａを先端部分に有し、パイプ内側に張り出した凸部から成る係止部２３３ｂを縮径部２３３ａと間隔をおいて有し、円錐台筒状部分と円筒状部分とが連続した拡径部２３３ｃを末端部分に有しており、中間パイプ２３３の全長Ｌ３は、最外側パイプ２３１の全長Ｌ１以下、好ましくは最外側パイプ２３１によって中間パイプ２３３全体を覆い隠せる長さである。
【００５５】
図７（Ａ）から分かるように、最内側パイプ２３２の全長Ｌ２と中間パイプ２３３の全長Ｌ３が最外側パイプ２３１の全長Ｌ１以下、好ましくは最外側パイプ２３１によって最内側パイプ２３２全体を覆い隠せる長さであるため、包装袋２４０’に収納されている縮長状態の多段式ストロー２３０’は最外側パイプ２３１の先端から最内側パイプ２３２の突き刺し部２３２ａが突出していない。
【００５６】
包装袋２４０’は、図７（Ａ）に示したように、ベースフィルム２４１と、縮長状態の多段式ストロー２３０’全体を覆い、かつ、外周部をベースフィルム２４１に止着されたカバーフィルム２４２とから成る。ベースフィルム２４１とカバーフィルム２４２は透明または半透明であり、多段式ストロー２３０’の取り出しを容易に行えるようにするために両フィルム２４１および２４２の厚さはかなり薄い。
【００５７】
多段式ストロー２３０’を構成する最外側パイプ２３１と最内側パイプ２３２と中間パイプ２３３の詳細および作製方法は、第１実施形態の多段式ストロー２３０と同様であるためここでの説明を省略する。また、包装袋２４０’の詳細および作製方法も、第１実施形態の包装袋２４０と同様であるためここでの説明を省略する。
【００５８】
容器２１０（図３（Ａ）および図３（Ｂ）を参照）に充填されている飲料を多段式ストロー２３０’を用いて飲むときには、まず、容器２１０からストロー包装体２２０’を取り外してから包装袋２４０’を指先で破く方法等によって縮長状態の多段式ストロー２３０’を取り出す。ちなみに、この取り出しには、図５（Ａ）を用いて説明した方法も利用できる。
【００５９】
そして、取り出した縮長状態の多段式ストロー２３０’を最外側パイプ２３１の開封補助部２３１ｂが下を向く姿勢とするか、あるいは、同姿勢で縮長状態の多段式ストロー２３０’を振ることにより、最内側パイプ２３２の少なくとも突き刺し部２３２ａを最外側パイプ２３１の先端から突出させる。
【００６０】
そして、最外側パイプ２３１と最内側パイプ２３２の突出部分を指先で把持し、図８（Ａ）に示したように、最外側パイプ２３１と最内側パイプ２３２と中間パイプ２３３を矢印方向に伸ばして、最内側パイプ２３２の第１拡径部２３２ｂを中間パイプ２３３の縮径部２３３ａに当接させ、かつ、第１拡径部２３２ｂの末端を係止部２３３ｂに係止させるとともに、中間パイプ２３３の拡径部２３３ｃを最外側パイプ２３１の縮径部２３１ａに当接させ、かつ、拡径部２３３ｃの末端を係止部２３１ｃに係止させる。これにより、最外側パイプ２３１と中間パイプ２３３とが伸長状態で保持されるとともに中間パイプ２３３と最内側パイプ２３２とが伸長状態で保持され、縮長状態から伸長状態に変化した全長Ｌの多段式ストロー２３０’となる。
【００６１】
そして、伸長状態の多段式ストロー２３０’の突き刺し部２３２ａを容器２１０の差し込み口２１３に差し込んで、伸長状態の多段式ストロー２３０’の末端部分（飲み口となる部分）を除く部分を容器２１０の内側に挿入する。これにより、容器２１０に充填されている飲料を伸長状態の多段式ストロー２３０’を用いて飲むことができる。
【００６２】
以上述べたとおり、容器入り飲料２００、ストロー包装体２２０’、および多段式ストロー２３０’によれば、図７（Ａ）に示したように、包装袋２４０’に収納されている縮長状態の多段式ストロー２３０’は最外側パイプ２３１の先端から最内側パイプ２３２の先鋭な突き刺し部２３２ａが突出していないため、容器入り飲料２００の流通時や陳列時等において図８（Ｂ）に示したような外圧ＥＰがストロー包装体２２０’の包装袋２４０’に加わっても、縮長状態の多段式ストロー２３０’が下方に移動して包装袋２４０’を突き破って飛び出すことを極力防止できる。すなわち、従前のような飛び出しを極力防止して、飛び出しによる購買意欲の低下を極力回避することができる。また、包装袋２４０’から取り出した縮長状態の多段式ストロー２３０’の先端で意図せず身体を傷つけてしまうことを極力防止できる。
【００６３】
また、多段式ストロー２３０’の最内側パイプ２３２の全長Ｌ２を最外側パイプ２３１の全長Ｌ１と同じにした場合の作用効果、ならびに、多段式ストロー２３０’の最外側パイプ２３１が非先鋭の開封補助部２３１ｂを有する場合の作用効果については、第１実施形態の説明したとおりであるためここでの説明を省略する。
【符号の説明】
【００６４】
２００…容器入り飲料、２１０…容器、２２０，２２０’…ストロー包装体、２３０，２３０’…多段式ストロー、２３１…最外側パイプ、２３１ａ…縮径部、２３１ｂ…開封補助部、２３１ｃ…係止部、２３２…最内側パイプ、２３２ａ…突き刺し部、２３２ｂ…第１拡径部、２３２ｃ…第２拡径部、２４０，２４０’…包装袋、２３３…中間パイプ、２３３ａ…縮径部、２３３ｂ…係止部、２３３ｃ…拡径部。
【図１】
2020162847.tif 000003
【図２】
2020162847.tif 000004
【図３】
2020162847.tif 000005
【図４】
2020162847.tif 000006
【図５】
2020162847.tif 000007
【図６】
2020162847.tif 000008
【図７】
2020162847.tif 000009
【図８】
2020162847.tif 000010